(57)【要約】【課題】  本発明の課題は、簡易便器の高さ調節可能な肘掛けの前後のがたつきをなくすることにある。【解決手段】  便器本体２上面両側に取付けられる肘掛け１２であって、該肘掛け１２は肘掛け本体１３と、該肘掛け本体１３の中央部から垂設される取付板１４とからなり、該肘掛け１２の取付板１４の内面には該便器本体２側面に上下方向に突設されるガイド突条１７に摺動自在に嵌合する縦凹溝１５が設けられており、該ガイド突条１７の前後面１７Ａが該縦凹溝１５の前後内面１５Ａに密接しており、更に該取付板１４の巾方向中央部には縦スリット１６が貫設されており、一方該便器本体２側面のガイド突条１７の上部には固定ねじ１９のねじ穴１８が設けられており、該肘掛け１２の取付板１４の所定の摺動位置で該取付板１４の外側から該ガイド突条１７のねじ穴１８に固定ねじ１９を螺着締付けることによって、該肘掛け１２の前後方向のがたつきを阻止する。【選択図】  図１
2005131101.tif 000002
【特許請求の範囲】
【請求項１】
便器本体上面両側に取付けられる肘掛けであって、該肘掛けは肘掛け本体と、該肘掛け本体の中央部から垂設される取付板とからなり、該肘掛けの取付板の内面には該便器本体側面に上下方向に突設されるガイド突条に摺動自在に嵌合する縦凹溝が設けられており、該ガイド突条の前後面が該縦凹溝の前後内面に密接しており、更に該取付板の巾方向中央部には縦スリットが貫設されており、一方該便器本体側面のガイド突条の上部には固定ねじのねじ穴が設けられており、該肘掛けの取付板の所定の摺動位置で該取付板の外側から該ガイド突条のねじ穴に固定ねじを螺着締付けることによって該肘掛けを所定高さに調節することを特徴とする高さ調節可能な肘掛けの取付け構造。
【請求項２】
該ガイド突条の前後面は傾斜面として該ガイド突条の横断面形状を台形とし、該取付板の縦凹溝の前後内面を該ガイド突条の前後傾斜面に合わせた傾斜内面とした横断面形状台形とし、該縦凹溝の横断面台形形状の底辺横巾を該ガイド突条の横断面台形形状の底辺横巾よりも若干短く設定し、かつ該ガイド突条の台形の最小巾（上面横巾）は該縦凹溝の台形の最小巾（上面横巾）よりも若干大きく設定することによって、該取付板の縦凹溝は該前後傾斜内面によってのみ該ガイド突条の前後傾斜面と接触するようにした請求項１に記載の肘掛けの取付け構造。
【発明の詳細な説明】
【技術分野】
【０００１】
本発明は例えば高齢者や身体障害者等の体の不自由な人が室内で使用する簡易便器の肘掛けの取付け構造に関するものである。
【背景技術】
【０００２】
〔発明の背景〕
この種の簡易便器としては、便器本体両側に肘掛けを設け、使用者が該簡易便器に腰を下したり、該簡易便器から立上ったり、あるいは使用中等に体を支えるようにしたものが提供されている。
この肘掛けとしては、使用する人の体形に合わせて高さを調節可能とすることが望ましい。
【０００３】
〔従来の技術〕
従来、上記高さ調節可能の肘掛けを有する簡易便器としては、図７に示すように便器本体(22)の上面左右両側部から下方に差込溝(23)を設け、該差込溝(23)に上下方向にスライド溝(25)を貫設した肘掛けの取付板(24)を上下摺動自在に挿入し、該取付板(24)のスライド溝(25)を介して外側から固定ねじ(26)を本体側面のねじ孔(27)に螺着締付け、該肘掛けを所望の高さで固定する構造のものが提供されている（例えば特許文献１参照）。
【０００４】
【特許文献１】特開平９−１２２０４１号公報（請求項１）
【発明の開示】
【発明が解決しようとする課題】
【０００５】
上記従来の構成では、肘掛けの取付板(24)は本体(22)の差込溝(23)にガイドされて上下摺動するが、該取付板(24)と該差込溝(23)とに前後方向の隙間があると、肘掛けが前後にがたつき、使い勝手が悪いと云う問題点がある。
【課題を解決するための手段】
【０００６】
本発明は上記従来の課題を解決するための手段として、便器本体(2) 上面両側に取付けられる肘掛け(12)であって、該肘掛け(12)は肘掛け本体(13)と、該肘掛け本体(13)の中央部から垂設される取付板(14)とからなり、該肘掛け(12)の取付板(14)の内面には該便器本体(2) 側面に上下方向に突設されるガイド突条(17)に摺動自在に嵌合する縦凹溝(15)が設けられており、該ガイド突条(17)の前後面(17A) が該縦凹溝(15)の前後内面(15A) に密接しており、更に該取付板(14)の巾方向中央部には縦スリット(16)が貫設されており、一方該便器本体(2) 側面のガイド突条(17)の上部には固定ねじ(19)のねじ穴(18)が設けられており、該肘掛け(12)の取付板(14)の所定の摺動位置で該取付板(14)の外側から該ガイド突条(17)のねじ穴(18)に固定ねじ(19)を螺着締付けることによって該肘掛け(12)を所定高さに調節することを特徴とする高さ調節可能な肘掛け(12)の取付け構造を提供するものである。
該ガイド突条(17)の前後面(17A) は傾斜面として該ガイド突条(17)の横断面形状を台形とし、該取付板(14)の縦凹溝(15)の前後内面(15A) を該ガイド突条(17)の前後傾斜面(17A) に合わせた傾斜内面とした横断面形状台形とし、該縦凹溝(15)の横断面台形形状の底辺横巾Ｗ2 を該ガイド突条(17)の横断面台形形状の底辺横巾Ｗ1 よりも若干短く設定し、かつ該ガイド突条(17)の台形の最小巾（上面横巾）Ｗ3 は該縦凹溝(15)の台形の最小巾（上面横巾）Ｗ4 よりも若干大きく設定することによって、該取付板(14)の縦凹溝(15)は該前後傾斜内面(15A) によってのみ該ガイド突条(17)の前後傾斜面(17A) と接触するようにすることが望ましい。
【発明の効果】
【０００７】
〔作用〕
該肘掛け(12)は該取付板(14)の縦凹溝(15)を該便器本体(2) の側面のガイド突条(17)に嵌合した状態で上下に摺動する。この際取付板(14)即ち該肘掛け(12)の上下摺動は該ガイド突条(17)に案内される。該肘掛け(12)の取付板(14)の所定の摺動位置で該取付板(14)の外側から該ガイド突条(17)のねじ穴(18)に固定ねじ(19)を螺着締付けることによって該肘掛け(12)を所定高さに調節する。
該ガイド突条(17)の前後面(17A) が該縦凹溝(15)前後内面(15A) に密接しており、したがって該肘掛け(12)の前後のがたつきは阻止される。
該ガイド突条(17)の前後面(17A) は傾斜面として該ガイド突条(17)の横断面形状を台形とし、該取付板(14)の縦凹溝(15)の前後内面(15A) を該ガイド突条(17)の前後傾斜面(17A) に合わせた傾斜内面とした横断面形状台形とし、該縦凹溝(15)の横断面台形形状の底辺横巾Ｗ2 を該ガイド突条(17)の横断面台形形状の底辺横巾Ｗ1 よりも若干短く設定し、かつ該ガイド突条(17)の台形の最小巾（上面横巾）Ｗ3 は該縦凹溝(15)の台形の最小巾（上面横巾）Ｗ4 よりも若干大きく設定することによって、該取付板(14)の縦凹溝(15)は該前後傾斜内面(15A) によってのみ該ガイド突条(17)の前後傾斜面(17A) と接触するようにすることによって固定ねじ(19)の締付け力は該取付板(14)の縦凹溝(15)の前後傾斜内面(15A) と該ガイド突条(17)の前後傾斜面(17A) とに有効に及ぼされ、肘掛け(12)の前後方向のがたつきは一層効果的に阻止される。
【０００８】
〔効果〕
したがって本発明では高さが調節出来る簡易便器の肘掛けの前後のがたつきが確実に阻止され、肘掛けの使い勝手が非常に良くなる。
【発明を実施するための最良の形態】
【０００９】
以下に本発明を詳細に説明する。
本発明の一実施例を図１〜図６に示す。図に示す簡易便器(1) において、箱形便器本体(2) の上面には開口部(3) が設けられ、該開口部(3) からは便容器(4) が取出し可能に懸架されており、該開口部(3) 周縁を取囲む状態で便座(5) が跳ね上げ可能に載置され、その上には二つ折り可能な蓋体(6) が被着され、図２に示すように該蓋体(6) は二つ折り状態で後方へ跳ね上げて使用状態とする。
【００１０】
該便器本体(2) の後部にはクッション(8) を差渡した背もたれ(7) が立設されており、更に該本体(2) の左右側板(2A)外面には前後脚部(9,10)を立設した脚板(11)が取付られており、該脚部(9,10)の本体(2) に対する取付け位置を上下にずらすことによって、該本体(2) の高さが調節出来るようにされている。
【００１１】
肘掛け(12)は該本体(2) の両側面に取付られているが、肘掛け本体(13)と、該肘掛け本体(13)の下面中央部から垂設されている取付板(14)とからなるＴ字形状をしており、図３に示すように該取付板(14)の裏面には縦凹溝(15)が設けられており、更に該取付板(14)の巾方向の中央部には縦スリット(16)が貫設されている。
【００１２】
一方該便器本体(2) の左右側板(2A)外面の前後方向中央部には上下方向にガイド突条(17)が取付けられている。そして図４に示すように該ガイド突条(17)を貫いて該便器本体側板(2A)の上部にはねじ穴(18)が設けられている。
【００１３】
図５に示すように該ガイド突条(17)の前後面(17A,17A) は傾斜面とすることによって、該ガイド突条(17)の横断面形状は台形とされており、一方該取付板(14)の縦凹溝(15)の前後内面(15A,15A) も傾斜内面とすることによって、該縦凹溝(15)の横断面形状は台形とされている。そして該ガイド突条(17)の傾斜面(17A) と該縦凹溝(15)の傾斜内面(15A) との傾斜角度θは略同一とされており、更に該ガイド突条(17)の台形の最大巾（底辺横巾）Ｗ1 は該取付板(14)の縦凹溝(15)の台形の最大巾（底辺横巾）Ｗ2 よりも若干大きく設定され、かつ該ガイド突条(17)の台形の最小巾（上面横巾）Ｗ3 は該縦凹溝(15)の台形の最小巾（上面横巾）Ｗ4 よりも若干大きく設定されている。
したがって、該取付板(14)の縦凹溝(15)と該ガイド突条(17)とを嵌合した時、該縦凹溝(15)の傾斜内面(15A,15A) と該ガイド突条(17)の傾斜面(17A,17A) とのみが接触し、該ガイド突条(17)と該縦凹溝(15)との上部において若干の空隙Ｓが形成される。
【００１４】
上記構成において肘掛け(12)を上下摺動させて高さを調節する。この時、該肘掛け(12)の上下摺動は該本体(2) のガイド突条(17)と該肘掛け取付板(14)の縦凹溝(15)との嵌合によってガイドされる。
【００１５】
該肘掛け(12)を所望の高さに調節したら、図５および図６に示すように固定ねじ(19)を外側から該取付板(14)の縦スリット(16)を介して本体側板(2A)のねじ穴(18)に螺着して締付け、該肘掛け(12)をその高さに固定する。
この際、前記したように該縦凹溝(15)の傾斜内面(15A,15A) と該ガイド突条(17)の傾斜面(17A,17A) とのみが接触し、該ガイド突条(17)と該縦凹溝(15)との上部において若干の空隙Ｓが形成されているから、締付け力は該傾斜内面(15A,15A) と該傾斜面(17A,17A) とに効率よく作用し、該肘掛け(12)の前後のがたつきは効果的に阻止される。
【００１６】
本実施例の場合は、したがって肘掛け(12)の縦凹溝(15)と本体(2) のガイド突条(17)とには高い加工精度を必要としない。例えば該傾斜内面(15A) と該傾斜面(17A) との傾斜角度θが若干異なっていても、固定ねじ(19)の締付け力は有効に働き、肘掛け(12)の前後のがたつきは確実に阻止される。
【産業上の利用可能性】
【００１７】
本発明の簡易便器の肘掛けは、高さが調節可能であり、かつ前後方向のがたつきがないので、如何なる体形の人にも使い勝手が非常に良くなる。
【図面の簡単な説明】
【００１８】
図１〜図６は本発明の一実施例を示すものである。
【図１】斜視図
【図２】蓋体を開いた状態の斜視図
【図３】肘掛け取付け構造の説明斜視図
【図４】肘掛け取付け構造の部分横断面図
【図５】肘掛け取付け構造の説明図
【図６】肘掛け取付け構造の縦断面図
【図７】従来の肘掛け取付け構造の横断面説明図
【符号の説明】
【００１９】
2       便器本体
12      肘掛け
13      肘掛け本体
14      取付板
15      縦凹溝
15A     縦凹溝の前後内面（傾斜内面）
16      縦スリット
17      ガイド突条
17A     ガイド突条の前後面（傾斜面）
18      ねじ穴
19      固定ねじ
Ｗ1     ガイド突条の台形の最大巾（底辺横巾）
Ｗ2     縦凹溝の台形の最大巾（底辺横巾）
Ｗ3     ガイド突条の台形の最小巾（上面横巾）
Ｗ4     縦凹溝の台形の最小巾（上面横巾）
【図１】
2005131101.tif 000003
【図２】
2005131101.tif 000004
【図３】
2005131101.tif 000005
【図４】
2005131101.tif 000006
【図５】
2005131101.tif 000007
【図６】
2005131101.tif 000008
【図７】
2005131101.tif 000009